(57)【要約】【課題】認証の信頼度の高い移動携帯端末を提供する。【解決手段】撮像された画像を画像データＳ１１として出力する画像取込手段１１０と、画像取込手段１１０から出力された画像データＳ１１から認証申請者の画像の特徴を抽出して認証申請特徴Ｓ１２として出力する特徴抽出手段１２０と、移動携帯端末の使用をあらかじめ許可されている認証認定者の認証許可特徴Ｓ１３を保存した特徴保存手段１３０と、認証申請特徴Ｓ１２と認証許可特徴Ｓ１３とを比較して認証判定を行う認証判定手段１４０とを備え、認証判定手段１４０は、認証申請特徴Ｓ１２と認証許可特徴Ｓ１３とが一致したときに認定判定の結果として認証の許可を認証申請者に通知し、一致しないときに認定判定の結果として認証の拒否を認証申請者に通知する移動携帯端末である。【選択図】図３
2007135149.tif 000002
【特許請求の範囲】
【請求項１】
利用する際に利用者の認証が必要とされ、前記認証が許可されたときに使用可能となる移動携帯端末において、
認証申請者の画像を赤外線を利用して撮像する画像取込手段と、
画像取込手段により得られた画像の特徴を抽出して認証申請特徴として出力する特徴抽出手段と、
前記移動携帯端末の使用が許可されている認証認定者の画像から抽出された特徴を認証許可特徴として保存した特徴保存手段と、
前記認証申請特徴と、前記認証許可特徴とを比較し、前記認証申請特徴と前記認証許可特徴とが一致したときに、認証の許可を前記認証申請者に通知し、
前記認証申請特徴と前記認証許可特徴とが一致しないときに、認証の拒否を前記認証申請者に通知し、前記認証申請特徴を前記認証の不正履歴を示す認証拒否特徴として特徴保存手段に保存することを特徴とする移動携帯端末。
【請求項２】
利用する際に利用者の認証が必要とされ、前記認証が許可されたときに使用可能となる移動携帯端末において、
認証申請者の画像を紫外線を利用して撮像する画像取込手段と、
画像取込手段により得られた画像の特徴を抽出して認証申請特徴として出力する特徴抽出手段と、
前記移動携帯端末の使用が許可されている認証認定者の画像から抽出された特徴を認証許可特徴として保存した特徴保存手段と、
前記認証申請特徴と、前記認証許可特徴とを比較し、前記認証申請特徴と前記認証許可特徴とが一致したときに、認証の許可を前記認証申請者に通知し、
前記認証申請特徴と前記認証許可特徴とが一致しないときに、認証の拒否を前記認証申請者に通知し、前記認証申請特徴を前記認証の不正履歴を示す認証拒否特徴として特徴保存手段に保存することを特徴とする移動携帯端末。
【請求項３】
請求項１または２に記載の移動携帯端末において、
前記認証申請特徴は、前記認証申請者の顔面の形状的な特徴を含み、
前記認証許可特徴は、前記認証認定者の顔面の形状的な特徴を含む移動携帯端末。
【請求項４】
請求項１に記載の移動携帯端末において、
前記認証申請特徴は、前記認証申請者の身体部位の静脈パターンの形状的な特徴を含み、
前記認証許可特徴は、前記認証認定者の身体部位の静脈パターンの形状的な特徴を含む移動携帯端末。
【請求項５】
請求項１に記載の移動携帯端末において、
前記認証申請特徴は、前記認証申請者の身体部位の温度分布の情報を含み、
前記認証許可特徴は、前記認証認定者の身体部位の温度分布の情報を含む移動携帯端末。
【請求項６】
請求項１に記載の移動携帯端末において、
画像取込手段は、赤外線を発光する赤外線フラッシュを備えている移動携帯端末。
【請求項７】
請求項１または２に記載の移動携帯端末において、
画像取込手段は、可視光をカットする可視光阻止フィルタを備えている移動携帯端末。
【発明の詳細な説明】
【技術分野】
【０００１】
本発明は、移動携帯端末に係り、特に使用者の本人認証に関する。
【背景技術】
【０００２】
従来使用されている端末装置、移動携帯端末などは、電子・通信技術の発達により様々な高機能を有するようになってきており、またネットワークバンキング、電子マネーの普及が増すことによりこれらの端末装置、移動携帯端末が高度に発達したネットワークシステムの端末として用いられる機械が増加している。
【０００３】
このため使用されている端末装置、移動携帯端末など端末機器は、取り扱いに細心の注意の必要な個人情報が多く記憶されており、またこれらの端末機器によるアクセスの際に、ネットワークバンキング、電子マネーを利用するための本人認証などを行っている。
【０００４】
この認証技術としては、あらかじめ設定したパスワードを入力する方法が一般的によく知られている。
【０００５】
しかしながら、パスワードは何らかの理由で本人以外に漏洩したり、本人以外が入力しても認証されてしまうという問題があった。
【０００６】
この問題に対処するため提案された認証技術として、本人固有の生体情報である指紋を利用した認証方法がよく知られている。
【０００７】
また、さらに進んだ生体認証技術として、掌形、耳の形状、顔面形状などの身体の形状的な特徴を認識する方法や、眼球網膜のパターン、眼球虹彩のパターン、手のひら、手の甲、手指などの静脈パターンなどの身体内の特徴を利用して認証する方法や、声紋により認証する方法などが提案されている。
【０００８】
この認証に関する従来技術として、画像データ変換手段により生成された２値１元情報と、登録手段に保存されている２値１元情報とを比較して両者が一致している場合に撮影手段で撮影された被写体が本人であると認証する認証手段を有し、高速、高精度に本人認証をすることができる携帯電話および携帯電話を用いた判定システムが開示されている（特許文献１参照）。
【特許文献１】特開２００３−２３３８０４号公報
【発明の開示】
【発明が解決しようとする課題】
【０００９】
しかしながら、顔面形状などによる顔面認証は、本人写真を使用して他人が不正に認証をすることが比較的容易であるという問題があった。
【００１０】
また、顔写真は他人であっても比較的容易に入手ができることも多く、また隠し撮りなどにより本人の知らない間に容易に撮影可能であるため、顔面認証による認証方法は他人が顔写真などを用いて容易に認証許可の対象である本人になりすましたときに、この不正認証を判別できないという問題があった。
【００１１】
また、夜間の屋外で携帯電話による顔面認証する場合、暗所では取り込まれた顔の画像が不明瞭であったり、顔に生じた陰の影響により本人でも正しく認証できない場合が多いという問題があった。
【００１２】
そこで本発明の目的は、認証の精度を高めた携帯端末を提供することである。
【課題を解決するための手段】
【００１３】
上記目的を達成するために、本発明の移動携帯端末の第１の発明は利用する際に利用者の認証が必要とされ、前記認証が許可されたときに使用可能となる移動携帯端末において、
認証申請者の画像を赤外線を利用して撮像する画像取込手段と、
画像取込手段により得られた画像の特徴を抽出して認証申請特徴として出力する特徴抽出手段と、
前記移動携帯端末の使用が許可されている認証認定者の画像から抽出された特徴を認証許可特徴として保存した特徴保存手段と、
前記認証申請特徴と、前記認証許可特徴とを比較し、前記認証申請特徴と前記認証許可特徴とが一致したときに、認証の許可を前記認証申請者に通知し、
前記認証申請特徴と前記認証許可特徴とが一致しないときに、認証の拒否を前記認証申請者に通知し、前記認証申請特徴を前記認証の不正履歴を示す認証拒否特徴として特徴保存手段に保存する移動携帯端末である。
【００１４】
第２の発明は、利用する際に利用者の認証が必要とされ、前記認証が許可されたときに使用可能となる移動携帯端末において、
認証申請者の画像を紫外線を利用して撮像する画像取込手段と、
画像取込手段により得られた画像の特徴を抽出して認証申請特徴として出力する特徴抽出手段と、
前記移動携帯端末の使用が許可されている認証認定者の画像から抽出された特徴を認証許可特徴として保存した特徴保存手段と、
前記認証申請特徴と、前記認証許可特徴とを比較し、前記認証申請特徴と前記認証許可特徴とが一致したときに、認証の許可を前記認証申請者に通知し、
前記認証申請特徴と前記認証許可特徴とが一致しないときに、認証の拒否を前記認証申請者に通知し、前記認証申請特徴を前記認証の不正履歴を示す認証拒否特徴として特徴保存手段に保存する移動携帯端末である。
【００１５】
第３の発明は、第１または第２の発明に記載の移動携帯端末において、
前記認証申請特徴は、前記認証申請者の顔面の形状的な特徴を含み、
前記認証許可特徴は、前記認証認定者の顔面の形状的な特徴を含むものである。
【００１６】
第４の発明は、第１の発明に記載の移動携帯端末において、
前記認証申請特徴は、前記認証申請者の身体部位の静脈パターンの形状的な特徴を含み、
前記認証許可特徴は、前記認証認定者の身体部位の静脈パターンの形状的な特徴を含むものである。
【００１７】
第５の発明は、第１の発明に記載の移動携帯端末において、
前記認証申請特徴は、前記認証申請者の身体部位の温度分布の情報を含み、
前記認証許可特徴は、前記認証認定者の身体部位の温度分布の情報を含むものである。
【００１８】
第６の発明は、第１の発明に記載の移動携帯端末において、
画像取込手段は、赤外線を発光する赤外線フラッシュを備えているものである。
【００１９】
第７の発明は、第１または第２の発明に記載の移動携帯端末において、
画像取込手段は、可視光をカットする可視光阻止フィルタを備えているものである。
【００２０】
本移動携帯端末は、従来可視光で撮影した画像を用いて移動携帯端末の使用を希望する認証申請者の認証判定を、赤外線を用いた赤外線画像と用いて認証判定するものである。
【００２１】
この赤外線画像から抽出された形状的な特徴などは、可視光で撮像された可視光画像とは異なる特徴を示す部分も多い。
【００２２】
このため、可視光で撮像した認証認定者の顔面の可視光画像を入力、偽造して、不正な認証申請者が認証認定者になりすまして認証を受けることが容易でも、同様に認証認定者の赤外線画像を入力、偽造したり、不正な認証申請者が認証認定者になりすまして認証を受けることは困難である。
【００２３】
また、従来認証申請者の顔面を撮像した顔画面によって認証判定を行っていた認証判定を、認証申請者の身体部位の静脈パターンを赤外線を用いて撮像し、この撮像された静脈パターンの特徴があらかじめ特徴保存手段に記憶された認証認定者の身体部位の静脈パターンの特徴と一致するか否かの認証判定を行ってもよい。
【００２４】
また赤外線の特性によって赤外線画像には、温度分布の情報が含まれるので、この温度分布のパターンを認証判定の際に用いる特徴の１つとして用いてもよい。
【発明の効果】
【００２５】
本発明によれば、暗所でも認証を行うことのできる認証機能を有した認証の信頼度の高い移動携帯端末を得られる。
【発明を実施するための最良の形態】
【００２６】
本発明を実施するための形態について図面を参照して詳細に説明する。
【００２７】
図１は、本実施形態の移動携帯端末の構成例を示す概要図である。
【００２８】
図示したように本実施形態の移動携帯端末１００は、本移動携帯端末１００に認証を申請する認証申請者に対して認証申請者の画像を赤外線を利用して撮像する赤外線などを利用して本移動携帯端末に対して画像取込手段としての赤外線画像取込手段１１０と、認証に必要な手続きの表示などを行う画像表示手段１６０と、認証を行うための手続きを行うための入力を行う入力手段１７０とを備えて構成される。
【００２９】
本移動携帯端末１００は、利用する際に利用者の認証が必要とされ、認証が許可されたときに使用可能となる機能を有する端末である。
【００３０】
本移動携帯端末１００を用いて認証を行う概要を、図２に示す。
【００３１】
図示したように本移動携帯端末１００を使用を希望する認証申請者２００は、入力手段１７０を介して認証に必要な手続きを移動携帯端末１００に対して行う。
【００３２】
移動携帯端末１００は、この認証申請者２００の入力によって認証を行うために必要な認証申請者２００の画像を赤外線画像取込手段１１０から取り込み、取り込んだ画像を画像表示手段１６０に認証申請者２００の認証申請画像２１０を表示するとともに、この取り込んだ画像をもとに画像の特徴を抽出して、認証申請者２００の認証判定を行い、認証が許可された場合には画像表示手段１６０に認証申請者２００が移動携帯端末１００の使用を許可されたことを表示する。
【００３３】
この移動携帯端末１００の構成例を、図３に示す。
【００３４】
図３は、本実施形態の移動携帯端末の構成例を示すブロック図である。
【００３５】
図示したように移動携帯端末１００は、既に図２で説明したように、赤外線画像取込手段１１０と、認証申請者２００（図２参照）を撮像する画像表示手段１６０と、入力手段１７０のほか、赤外線画像取込手段１１０で撮像され出力された画像データを用いて認証判定の処理を行う承認手段３００を備えて構成される。
【００３６】
承認手段３００は、移動携帯端末１００に認証を申請する認証申請者２００（図２参照）に対して認証申請者２００の画像を赤外線を利用して撮像し、撮像された画像を画像データＳ１１として出力する画像取込手段１１０と、画像取込手段１１０から出力された画像データＳ１１から認証申請者２００の画像の特徴を抽出して認証申請特徴Ｓ１２として出力する特徴抽出手段１２０と、移動携帯端末１００に認証を許可された認証認定者の画像から抽出された特徴をあらかじめ認証許可特徴Ｓ１３として保存した特徴保存手段１３０と、認証申請特徴Ｓ１２と認証許可特徴Ｓ１３とが一致したときに認証許可を出力する認証判定手段１４０とを備えて構成される。
【００３７】
赤外線画像取込手段１１０は、例えば赤外線を感知し撮影を行なうことができる一般的なカメラであり、本移動携帯端末１００の筐体に図１、図２に示すように組み込まれている。
【００３８】
この赤外線画像取込手段１１０は、可視光をカットする図示しない可視光阻止フィルタと、赤外線をカットする図示しない赤外線阻止フィルタを有しているとよく、このフィルタを切り替えて使用することにより、可視光をカットした赤外線画像の撮影と赤外線をカットした可視光画像を切り替えて撮影することができる機能を備える。
【００３９】
赤外線画像取込手段１１０は、認証申請者２００による認証の申請時には、複数設けられたレンズ間に可視光阻止フィルタを挿入した状態での撮像を行うとよく、顔面認証時以外の自分自身を撮影する一般的なカメラとして用いる場合または移動携帯端末１００をテレビ電話の用途などに用いる場合には、複数設けられたレンズ間に赤外線阻止フィルタを挿入した状態で可視光による撮像を行うとよい。
【００４０】
赤外線画像取込手段１１０は、赤外線を発光する赤外線フラッシュを備えていてもよく、この赤外線フラッシュを使用することにより、顔面認証時または静脈パターン認証時の赤外線画像取込手段１１０の取り込む赤外線画像が鮮明になり、認証判定の精度、信頼性を高めることができる。
【００４１】
特徴保存手段１３０は、あらかじめ認証許可特徴Ｓ１３を保存しており、また過去に移動携帯端末１００で認証が拒否され認証申請者２００の特徴などを示す認証拒否特徴Ｓ１４および認証拒否特徴Ｓ１４を含む不正履歴を保存している。
【００４２】
特徴抽出手段１２０から出力される認証申請特徴Ｓ１２、特徴保存手段１３０から読み出される認証許可特徴Ｓ１３および特徴保存手段１３０に保存される認証拒否特徴Ｓ１４は、例えば画像データにおいてパターン認識を行うパターン認識技術を利用して、画像の特徴点、特徴領域を抽出したパターンデータであるとよい。
【００４３】
より具体的には特徴抽出手段１２０は、顔面認証では人の顔面を写した画像データＳ１１から顔面輪郭の傾きや形状、目、鼻、口などの位置を検出する。
【００４４】
特徴抽出手段１２０は、さらに眼球の中心の位置や、唇の端の位置、耳の上下の位置などの特徴点を検出し、また、眼球相互の距離、目と唇の端との距離、鼻と目との距離など顔面を構成するパーツ相互間の点同士の距離などを計測、補正して、算出する。
【００４５】
特徴抽出手段１２０は、さらには唇のカーブの度合い、耳たぶのカーブの度合いや、耳たぶの開き具合、目の縦横の大きさや、まぶたのカーブ目の度合いなどの特徴領域を検出する。
【００４６】
また赤外線画像は、撮像された顔面などの身体部位の温度分布の情報も含んでいるおり、この温度分布も人によって異なっているため、特徴抽出手段１２０は、この温度分布の情報も特徴点、特徴領域として抽出することができる。
【００４７】
これらの特徴点、特徴領域を抽出した顔面の形状的な特徴を含むパターンデータが、移動携帯端末１００の使用を許可された認証認定者個人を特定する固有のパターンデータである場合には、これらの認証認定者の顔面の形状的な特徴を含む顔面パターンデータはあらかじめ特徴保存手段１３０に認証許可特徴Ｓ１３として保存される。
【００４８】
静脈パターン認証では、特徴抽出手段１２０は、人の手のひらなどの身体部位の静脈パターンを写した画像データＳ１１から静脈パターンの傾きや形状、静脈の太さなどを検出し、さらに静脈分岐位置などの特徴点を検出し、また特徴点同士の距離などを計測、補正して、算出し、さらには静脈のカーブの度合い、静脈分岐の開き具合などの特徴領域を検出する。
【００４９】
これらの特徴点、特徴領域を抽出した身体部位の静脈パターンの形状的な特徴を含む静脈のパターンデータが、移動携帯端末１００の使用を許可された認証認定者個人を特定する固有の静脈パターンデータである場合には、これらの静脈パターンデータはあらかじめ特徴保存手段１３０に認証許可特徴Ｓ１３として保存される。
【００５０】
認証許可特徴Ｓ１３は、認証判定手段１４０が認証判定を行い際に、認証判定手段１４０の要求に応じて特徴保存手段１３０から読み出され、特徴抽出手段１２０から出力される。
【００５１】
認証判定手段１４０は、これら認証申請特徴Ｓ１２および認証許可特徴Ｓ１３に示されたパターンデータを照合し、一致度合いを比較することによって本人として認証するか他人として拒絶するかの認証判定を行い、認証申請特徴Ｓ１２および認証拒否特徴Ｓ１４を含む不正履歴に示されたパターンデータを照合し、一致度合いを比較することによって後述する履歴判定をすることができる。
【００５２】
画像表示手段１６０は、認証時の顔画像などの位置決めに必要となる赤外線画像などの情報の表示を行ったり、認証結果の表示などの各種情報の表示を行なうディスプレイであり、移動携帯端末１００、携帯電話などの筐体に組み込まれている従来の一般的な表示器をそのまま使用するとよい。
【００５３】
画像表示手段１６０は、例えば顔面認証などのときには、赤外線画像取込手段１１０で撮像した赤外線映像そのものは表示せず、顔や目や口などの大まかな位置情報のみを表示した認証時の顔画像などの位置決めを行うようにしてもよい。
【００５４】
入力手段１７０は、本移動携帯端末１００の操作がロックされている場合のロックの解除動作指示を行ったり、認証時の撮影の開始などを指示したりするためのキーボードであり、移動携帯端末１００、携帯電話などの筐体に組み込まれている従来の一般的なダイヤルボタンをそのまま使用するとよい。
【００５５】
次に本実施形態の移動携帯端末の動作について、図１〜図４を用いて詳細に説明する。
【００５６】
図４は、本実施形態の移動携帯端末の動作を示すフローチャートである。
【００５７】
図示したように、本移動携帯端末１００の使用を希望する認証申請者２００は、画像表示手段１６０に表示された指示にしたがいながら入力手段１７０を操作して、認証の申請を行い（ステップ４１０）、この認証の申請は入力手段１７０を介して赤外線画像取込手段１１０および承認手段３００に通知される。
【００５８】
なお、この認証を行う際に用いられる認証の種類、方法は、移動携帯端末１００の使用を許可された者のみが知っているとよい情報の１つである。
【００５９】
認証申請者２００が、この認証の申請の際画像表示手段１６０に表示された認証の種類、方法の選択指示にしたがって選択した場合に、例えばこの移動携帯端末１００が静脈パターンによる認証を行う端末であるにも拘わらず、顔面認証の申請をした認証申請者２００の認証の申請は拒否して、申請の操作を先に進められないようにしておいてもよい。
【００６０】
認証申請者２００が正しい認証の申請手続きを行ったときは、通知された認証の申請に基づいて、承認手段３００の認証判定手段１４０は赤外線画像取込手段１１０を制御して、赤外線画像取込手段１１０に備えられた可視光阻止フィルタを選択し、必要に応じて図示しない赤外線フラッシュを発光させて認証申請者２００の赤外線画像を撮像する指示をする。
【００６１】
赤外線画像取込手段１１０は、この認証判定手段１４０の指示にしたがい認証申請者２００の顔画面、手のひらの静脈パターンなどを赤外線画像に取り込み、この赤外線画像を変換して画像データＳ１１として出力する。
【００６２】
赤外線画像取込手段１１０から出力された画像データＳ１１は、画像表示手段１６０に入力され表示可能なデータに変換された後取り込まれた赤外線画像が認証申請画像２１０として表示される。
【００６３】
認証申請者２００は、顔面認証を行う場合にはこの画像表示手段１６０に表示された認証申請者２００の顔画像である認証申請画像２１０を見ながら顔面の位置決めを行って撮影する顔画像を確定し、位置決めが完了すると認証申請者２００は入力手段１７０を操作することにより認証申請者２００の顔画像を撮像する（ステップ４２０）。
【００６４】
この顔面認証を行う場合、暗所での移動携帯端末１００の使用のときなどには、赤外線画像取込手段１１０は赤外線画像取込手段１１０に備えられた赤外線フラッシュを赤外線発光させて取り込む画像が鮮明になるようにするとよい。
【００６５】
また認証申請者２００は、静脈パターン認証を行う場合には赤外線画像取込手段１１０に手のひらを向けて、画像表示手段１６０に表示された認証申請者２００の手のひらの静脈パターン画像である認証申請画像２１０を見ながら手のひらの位置決めを行って撮影する静脈パターン画像を確定し、位置決めが完了すると認証申請者２００は入力手段１７０を操作することにより認証申請者２００の手のひらの静脈パターン画像を撮像する（ステップ４２０）。
【００６６】
この静脈パターン認証を行う場合には、赤外線フラッシュを発光させて取り込む画像が鮮明になるようにするとよい。
【００６７】
赤外線画像取込手段１１０により撮像された赤外線画像は、画像データＳ１１として赤外線画像取込手段１１０から特徴抽出手段１２０に出力される。
【００６８】
赤外線画像取込手段１１０から出力された画像データＳ１１を受信した特徴抽出手段１２０は、この画像データＳ１１を本移動携帯端末１００内に設けられた図示しないメモリに一旦保存し、必要に応じてこのメモリから保存された画像データＳ１１を読み出してデータ処理を行う。
【００６９】
この特徴抽出手段１２０の行うデータ処理は、画像データＳ１１から得られる認証申請者２００の画像の中から認証申請者２００の特徴を示す特徴点、特徴領域の抽出を行ない（ステップ４３０）、この特徴を認証申請特徴Ｓ１２として認証判定手段１４０に出力する。
【００７０】
このステップ４２０およびステップ４３０の処理の間に、認証判定手段１４０は特徴保存手段１３０に保存された本動携帯端末１００に認証を許可されている認証認定者の認証許可特徴Ｓ１２を読み出す（ステップ４４０）。
【００７１】
次に、認証判定手段１４０は、特徴抽出手段１２０から出力された認証申請特徴Ｓ１２と、特徴保存手段１３０から読み出した認証許可特徴Ｓ１３とを比較して、一致するか否かの認証判定を行う（ステップ４５０）。
【００７２】
認証判定手段１４０が、認証申請特徴Ｓ１２と認証許可特徴Ｓ１３とが一致することで認証申請者２００を移動携帯端末１００にあらかじめ認証を許可された認証認定者本人であると認証判定した場合には、図中ステップ４５０の下方の「本人」の流れを辿り、認証判定手段１４０は認証申請者２００の認証を許可し（ステップ４６０）、認証許可を示す表示を画像表示手段１６０に表す。
【００７３】
この認証申請者２００が認証を許可されたという履歴は、認証許可の日時とともに認証履歴として特徴保存手段１３０に保存される（ステップ４７０）。
【００７４】
この保存された認証履歴は、後に例えば移動携帯端末１００への不正アクセスを調査したり、犯罪捜査のための調査などに使用することができる。
【００７５】
認証判定手段１４０が、認証申請特徴Ｓ１２と認証許可特徴Ｓ１３とが一致しないことで認証申請者２００を移動携帯端末１００にあらかじめ認証を許可された認証認定者本人とは異なる他人であると認証判定した場合には、図中ステップ４５０の右方の「他人」の流れを辿り、認証判定手段１４０は認証申請者２００の認証を拒否し（ステップ５２０）、認証拒否を示す表示を画像表示手段１６０に表す。
【００７６】
認証判定手段１４０は、他人であると認証判定し認証申請者２００の認証を拒否した場合には、認証の拒否とともに特徴保存手段１３０に記憶されている不正履歴を読み出す（ステップ５３０）。
【００７７】
認証判定手段１４０は、不正履歴に含まれているデータと、認証を拒否された認証申請者２００の認証申請特徴Ｓ１２とが一致するか否かの履歴判定を行う（ステップ５４０）。
【００７８】
認証判定手段１４０の履歴判定の結果、特徴保存手段１３０に記憶された不正履歴に含まれているデータと、認証を拒否された認証申請特徴Ｓ１２とが一致しないと履歴判定した場合には、図中ステップ５４０の下方の「履歴なし」の流れを辿り、認証判定手段１４０は画像表示手段１６０に認証の拒否を表示させ、認証申請者２００の認証申請特徴Ｓ１２を認証を拒否された認証拒否特徴Ｓ１４として特徴保存手段１３０に保存する（ステップ５５０）。
【００７９】
この特徴保存手段１３０に保存された認証拒否特徴Ｓ１４は、あらたに不正履歴の一部として次回以降の履歴判定の際に利用される。
【００８０】
または、認証判定手段１４０は、画像表示手段１６０に認証の拒否を表示させる代わりに、本移動携帯端末１００に設けられた図示しない音声出力手段により認証の拒否を音声出力させ、認証申請者２００に認証の拒否を通知してもよい。
【００８１】
認証判定手段１４０の履歴判定の結果、特徴保存手段１３０に記憶された不正履歴に含まれているデータと、認証を拒否された認証申請特徴Ｓ１２とが一致すると履歴判定した場合には、図中ステップ５４０の右方の「履歴あり」の流れを辿り、認証判定手段１４０は画像表示手段１６０に認証の拒否を表示させるとともに、本移動携帯端末１００への複数回の不正アクセスがなされたことを警告を併せて表示させる（ステップ５６０）。
【００８２】
または、認証判定手段１４０は、画像表示手段１６０に不正アクセスを警告する表示をさせる代わりに、本移動携帯端末１００に設けられた図示しない音声出力手段によりアラーム音を出させ、認証申請者２００に警告してもよい。
【００８３】
認証判定手段１４０の履歴判定の結果、不正履歴に含まれているデータと、認証を拒否された認証申請特徴Ｓ１２とが一致し、複数回の不正アクセスがあるとステップ５４０で履歴判定した今回の不正アクセスも、あらたな不正履歴として特徴保存手段１３０に保存され（ステップ５７０）、不正履歴の一部として今後の履歴判定の際に利用される。
【００８４】
これらの特徴保存手段１３０に保存された認証履歴、不正履歴は、後に例えば移動携帯端末１００への不正アクセスを調査したり、犯罪捜査のための調査などに使用することができ、移動携帯端末１００に対して不正アクセスが行われようとしたときに履歴判定に利用して不正アクセスを防止することができる。
【００８５】
本実施形態は、赤外線を利用した赤外線画像取込手段１１０を用いて認証を行うが、これに限定されず赤外線画像を用いるかわりに紫外線を利用した紫外線画像を用いる実施形態であってもよい。
【００８６】
この場合、赤外線透過・可視光阻止フィルタを用いる代わりに紫外線透過・可視光阻止フィルタを用いることで一般的には紫外線画像の撮影が可能であり、この紫外線画像を上で説明した赤外線画像の代わりに用いることで、同様の認証判定、履歴判定を行うことができる。
【００８７】
またこれらの実施形態と、従来の可視光で撮像された画像データを併用することで、可視光以外で撮像された画像とは異なった特徴を有する可視光の画像データの特徴も用いて、より認証判定の信頼度を増すこともできる。
【００８８】
また、本実施形態では顔面認証、静脈パターン認証について説明したが、これらに限定されず同様にパターン認識により認証判定を行う方法、方式であれば実施可能であり例えば手指などの指紋、掌紋、眼球虹彩パターンを用いた認証方式などにも適用される。
【００８９】
またこれらの移動携帯端末に用いた認証は、一般的な入退場管理システムなどへも実施可能である。
【００９０】
以上説明したように、本発明によれば次に示す効果を得られる。
（１）本移動携帯端末は、顔面認証の際に写真を用いて不正な認証申請を行うなりすましを防ぐ効果がある。
（２）本移動携帯端末は、顔面認証を暗所においても行うことができ、移動携帯端末の認証能力を高める効果がある。
（３）赤外線により撮像された認証申請者の画像は、可視光で撮像された画像とは異なる特徴である温度分布情報などを多く持っているので偽造されにくく、認証判定の信頼性を向上させることができる。
（４）また、赤外線で撮像された画像を印刷した写真を用いても、赤外線画像取込手段でこの写真の画像を得た場合には、赤外線画像では不鮮明となるため誤って認証されることがなくなる。
（５）また、何らかの方法により、赤外線撮影で顔として撮影される物体を作り出すことは困難であるため偽造は難しい。
（６）本移動携帯端末は、暗所でも赤外線フラッシュを使用することで見た目に光ることがないため他人に注目されずに自然に認証をすることが可能である。
【図面の簡単な説明】
【００９１】
【図１】本実施形態の移動携帯端末の構成例を示す概要図である。
【図２】本実施形態の移動携帯端末の認証の様子を示す概要図である。
【図３】本実施形態の移動携帯端末の構成例を示す概要図である。
【図４】本実施形態の移動携帯端末の動作を示すフローチャートである。
【符号の説明】
【００９２】
１００    移動携帯端末
１１０    画像取込手段
１２０    特徴抽出手段
１３０    特徴保存手段
１４０    認証判定手段
１６０    画像表示手段（ディスプレイ）
１７０    入力手段
２００    認証申請者
２１０    認証申請画像
３００    承認手段
４１０〜５７０    ステップ
Ｓ１１    画像データ
Ｓ１２    認証申請特徴
Ｓ１３    認証許可特徴
Ｓ１４    認証拒否特徴
【図１】
2007135149.tif 000003
【図２】
2007135149.tif 000004
【図３】
2007135149.tif 000005
【図４】
2007135149.tif 000006